(57)【特許請求の範囲】
【請求項１】
本発明は腰のある厚紙を素材に用い、Ｈ字状の仕切枠１と仕切枠１中央の仕切板２によって前後に仕切られた後ろの空間へ収納する内箱３と仕切枠１全体を収納できる大きさの外箱４を設け、
本発明は商品を収納する為のケースであって陳列機能も兼ねており、商品陳列時には背部にある内箱を引き上げて保持する事によって雛段状となる物で、
仕切枠１に於いて、真上から見るとＨ字形状で、中央に仕切板２を設け、両側へ直角に交差する面で側板５を対で設け、仕切板２は仕切天縁６を折り返して二重構造を成して、前面板７と背面板８を成し、前面板７の両側を正面方向へ直角に折って前側板９を対で有し、背面板８の両側を背面方向へ直角に折って背側板１０を対で有し、背面板８と背側板１０とによって囲まれたコの字形状の空間は内箱３を収納する為に有しており、背面板８の下部領域の中央領域へ柱域１１を設け、柱域１１の両側へ平行で天地方向へ走る谷折り線である蝶番折線１２を対で設け、蝶番折線１２を介する外側領域を側寄り台板１３を対で設け、側寄り台板１３の天縁は切り離されており、側寄り台板１３はゴム１４によって中央領域は繋がれており、ゴム１４は係止溝１５へ挟み込まれて取り付けられ、
内箱３は底を有して天縁を正面へ向けて斜下へ切り取られた形状で、ゴム１４が縮んだ状態では仕切板２に対して側寄り台板１３が背方へ直角に折り出た状態であって、側寄り台板１３の天縁上へ内箱３は乗って持ち上げられた状態を保持され、ゴム１４を伸ばして側寄り台板１３を左右に開く事によって内箱３は底まで落ちる事と成り、
外箱は底を有して天縁を正面へ向けて斜下へ切り取られた形状で、仕切枠１の側周囲を取り囲む大きさで、側寄り台板１３を開いた状態では内箱３の正面壁が側寄り台板１３を押さえ込むので開いた状態は保持され、内箱３は外箱４の背面壁によって押さえ込まれているので背方へずれる事はなく、内箱３の下がった状態ではコンパクトである事から輸送時に活用し、内箱３を引き上げれば側寄り台板１３がゴム１４によって折り出されるので、内箱３は持ち上げられた状態を保持されて、雛段状となって商品を陳列できる、内箱を持ち上げて保持できる構造体。
【発明の詳細な説明】
【０００１】
【発明の属する技術分野】
本発明は、輸送時に使用する商品の収納ケースを陳列箱として活用ができる様にした物である。
【０００２】
【従来の技術】
従来の陳列機能も兼ね備えた箱は、箱の蓋を背部で立てて表示板として活用し、収納商品が見え易い様に、箱の天縁を正面へ向けて斜下へ切り取った物であった。
【０００３】
【発明が解決しようとする課題】
従来の技術は構造が単純で安価であるが、箱の後方にある商品は目立ち難いものであった。本発明は箱を雛段状の段差を生じさせる事によって、後方の商品も目立たせ、購買意欲を高める事を目的とする。
【０００４】
【課題を解決するための手段】
外箱の中へ、Ｈ字形状の仕切枠を入れて前後に空間を仕切り、後ろの空間へ内箱を収納して、仕切枠に沿って天地へスライドできる状態にし、仕切枠中央の仕切板の背面板の下半分両側領域を後方へ折り出す事によって、内箱を乗せる為の側寄り台板を設け、側寄り台板の中央をゴムで繋ぐ事によって、内箱を引き上げればゴムの縮みで側寄り台板は背方へ折り出された状態が保持され、側寄り台板上に内箱を乗せる事によって雛段状となる。
【０００５】
【発明の実施の形態】
発明の実施の形態について図面を参照して説明すると、内箱を持ち上げて保持する構造で、内箱を乗せる前の状態で仕切枠を背面方向から示した斜視図の図１に於いて、内箱３を持ち上げた状態で保持する構造は、背方へ折り出された側寄り台板１３の上縁へ内箱３を乗せるという物であり、Ｈ形状の仕切枠１を設け、仕切枠１の中央を仕切板２と称して、空間を前後に仕切る役割を果たし、仕切枠１の形成方法は、一枚の厚紙を半分に折り畳み、この時の折線を仕切天縁６と称し、仕切天縁６の両側を四分の一程度ずつ切り離し、切り離され部分を介する隣接領域を仕切板２に対して前後に直角に折り曲げる事によって側板５を設け、側板５は対で設けられていて、仕切枠１を真上から見るとＨ形状を成し、仕切板２は仕切天縁６を介して前後に折り重ねられており、前面を前面板７と称し、背面を背面板８と称し、
背面板８の下半分或いは下から三分の二程度の領域の中央へ柱域１１を設け、柱域１１の横幅は背面板８の横幅の三分の一程度が望ましく、柱域１１の両側へ平行で天地方向の谷折り線で蝶番折線１２を対で設け、蝶番折線１２を介する側外領域を側寄り台板１３と称して設け、側寄り台板１３は矩形或いは正方形状で天縁を切り離す事によって蝶番折線１２は折れ曲がって背方へ折り出す事が可能と成り、側寄り台板１３の中央領域どうしをゴム１４で繋ぐ事によって側寄り台板１３の折り出された状態を保持できるものであり、ゴム１４は輪ゴムが安価で扱い易く、ゴム１４の取り付けは側寄り台板１３の中央領域へコの字形状に切込んだ係止溝１５を設けて挟み込むものであり、係止溝１５はコの字形状の他、側寄り台板１３の天地縁の部分的箇所から中央へ向ける部分的切込みであっても良く、側寄り台板１３が背方へ折り出されていれば内箱３を乗せる為の台の役割を果たし、
仕切板２の両側を直角方向へ塞ぐ形状で側板５は設けられているのであり、側板５の形成構造は、背面板８の両側に有する谷折り線を直角に背方へ折り曲げる事によって背側板１０を設け、前面板７の両側に有する谷折り線を直角に前方へ折り曲げる事によって前側板９を設け、背側板１０と前側板９とを一括して側板５と称するのであり、側板５を有する事によって、仕切板２は前後にずれなくなる。
【０００６】
側寄り台板を左右に開いた状態で示した斜視図の図２に於いて、本発明物に商品を入れて輸送する場合、内箱を下げて、全体をコンパクトにする必要があり、側寄り台板１３を左右に開く事によって、図１で示した内箱３は下がって、無駄な空間は省かれて全体はコンパクトになり、側寄り台板１３はゴム１４で繋がれている事から側寄り台板１３は背方へ折り出ようとするが、内箱３が阻止している事から側寄り台板１３の開いた状態は保持され、内箱３を引き上げると阻止機能が解除されて、側寄り台板１３は背方へ折り出て、内箱３を乗せる為の台となり、全体が雛段形状になって陳列される。
【０００７】
組み立てた状態で正面方向から示した斜視図の図３に於いて、仕切枠１と内箱３の側周囲を覆い包む形状で外箱４を設け、内箱３及び外箱４の形状は、収納商品を見易くする事から正面方向へ向けて斜下へ切り取られた形状を成し、正面枠壁の天縁形状は中央が横長Ｕ字状に切り取った形状を成す事によって収納商品を更に露出させ、
内箱３を引き上げる事によって、図１及び図２で示した側寄り台板１３がゴム１４の縮みによって背方へ折りだされて、側寄り台板１３の上縁へ内箱３は乗って、持ち上げられた状態が保持されるので全体は雛段形状となって陳列され、外箱４の背壁を同寸の横幅で上方へ伸ばす事によって商品説明の為の表示板１６を設け、表示板１６は単層であっても良いが、天縁から正面方向へ折り重ねて二重構造にして印刷を片面だけにする方が効率が良く、又、別個に表示板１６をパネル状で設けて、背壁の天縁へ差し込む或いは挟み込む構造であっても良く、内箱３は図では一つであるが、ユーザーの希望によっては左右に複数設けても良く、内箱３を複数設ける場合、内箱３の下へ厚紙シートを敷く事によって隣接の内箱３どうしを均等に持ち上げる事が可能となり、内箱３を乗せる為の側寄り台板１３は仕切枠１に設けてあるが、場合によっては外箱４の背壁の下部領域に設けても別に問題は無い。
【０００８】
組み立てた状態で背面方向から示した斜視図の図４に於いて、内箱１の引上げは上端を摘んで引き上げても良いが、更に簡単に行える方法として、外箱４の背下角領域の中央部分へ指一本の入る幅で縦に細長い溝で持ち上げ溝１７を設け、表示板１６を外箱４と連結して設けた場合、外箱４の背壁と表示板１６とを繋ぐ中央領域を部分的に切抜いて扉片１８を設け、扉片１８の側辺の一方を折線によって繋ぎ止めて背方へ直角に折り曲げる事によって表示板１６を立てる事が可能となる。
【０００９】
コンパクトに収納した状態を正面方向から示した斜視図の図５に於いて、本発明物に収納する商品は、縦長矩形の小箱に収納されている物が望ましく、図１と図２で表示した側寄り台板１３を左右に開く事によって内箱３は外箱４の底まで落ち、側寄り台板１３の中央はゴム１４によって繋がれている事から開いた状態ではゴム１４の還元作用から閉じようとし、この閉じようとする働きを内箱３が間に割り込んでいる事から阻止されており、外箱４が仕切枠１の周囲を囲んでいるので、内箱３の背壁を外箱４の背壁が押し止めているので内箱３は背方へ弾き飛ばされずに済み、内箱３が底など落ちてコンパクトに収納された状態で、表示板１６を正面方向へ折倒す事によって蓋の役割を果たし、本発明物へ商品を入れた状態で複数を積み重ねて輸送する事が可能となる。
【００１０】
【発明の効果】
ゴムで繋いだ側寄り台板を設けた事によって、内箱が下にある状態では側寄り台板が左右に開いて、内箱の正面壁が側寄り台板を押さえ込んで開いた状態を保持し、内箱を引き上げて抜く事で押さえ込みが解除され、側寄り台板に取り付けられたゴムが収縮して側寄り台板が背方へ折り出され、側寄り台板が折り出された事によって内箱を乗せる為の台と成り、内箱を持ち上げて保持され、雛段状となって商品が陳列される。
【図面の簡単な説明】
【図１】内箱を乗せる前の状態で仕切枠を背面方向から示した斜視図。
【図２】側寄り台板を左右に開いた状態で示した斜視図。
【図３】組み立てた状態で正面方向から示した斜視図。
【図４】組み立てた状態で背面方向から示した斜視図。
【図５】コンパクトに収納した状態を正面方向から示した斜視図。
【符号の説明】
１  仕切枠
２  仕切板
３  内箱
４  外箱
５  側板
11  柱域
12  蝶番折線
13  側寄り台板
14  ゴム
16  表示板
17  持ち上げ溝
18  扉片
【図１】
0003662328.tif 000002
【図２】
0003662328.tif 000003
【図３】
0003662328.tif 000004
【図４】
0003662328.tif 000005
【図５】
0003662328.tif 000006